(57)【要約】人体による影響を最小化する移動通信端末機におけるヘリカルアンテナ構造を提供する。前記ヘリカルアンテナ構造において、キャップは、前記端末機の上端に突出形成され、巻線コイルは、前記キャップ内に位置し、前記キャップ内の下段部から上段部まで前記キャップの外部面との離隔距離が実質的に同一になるように設計される。
2004512721.tif 000002
【特許請求の範囲】
【請求項１】
移動通信端末機におけるヘリカルアンテナ構造において、
前記端末機の上端に突出形成されるキャップと、
前記キャップ内に位置し、前記キャップ内の下段部から上段部まで前記キャップの外部面との離隔距離が実質的に同一になるように設計されるヘリカルアンテナ巻線コイルと、
からなることを特徴とする移動通信端末機におけるヘリカルアンテナ構造。
【請求項２】
前記巻線コイルは、前記キャップ内の下段部から上段部に行くにつれて、１巻き毎に前記コイルの直径が所定の値だけ小さくなるように円錐状で形成されることを特徴とする請求項１記載の移動通信端末機におけるヘリカルアンテナ構造。
【請求項３】
移動通信端末機におけるヘリカルアンテナ構造において、
前記端末機の上端に突出形成されるキャップと、
前記キャップ内に位置し、前記キャップ内の下段部から上段部に行くにつれて、１巻き毎に直径が所定の値だけ減少される円錐状に形成されることによって、前記キャップ内の下段部から上段部まで前記キャップ外部面との離隔距離が実質的に同一になるように設計されるヘリカルアンテナ巻線コイルと、
から構成されることを特徴とする移動通信端末機におけるヘリカルアンテナ構造。
【請求項４】
移動通信端末機におけるヘリカルアンテナ構造において、
前記端末機に円錐状に形成されるキャップと、
前記キャップの内に位置する円錐状のコイルと、から構成され、
前記キャップの外部面と前記コイルとの間の距離は、前記キャップ内の下段部及び前記端末機に隣接するコイルから前記キャップの上段部及び前記端末から遠いコイルまで実質的に同一であることを特徴とする移動通信端末機におけるヘリカルアンテナ構造。
【発明の詳細な説明】
【０００１】
【発明の属する技術分野】
本発明は、移動通信端末機に関し、特に、移動通信端末機のアンテナ構造に関する。
【０００２】
【従来の技術】
一般的に、移動通信端末機は、端末機外部の突出部に形成されたヘリカルアンテナ（Ｈｅｌｉｃａｌ Ａｎｔｅｎｎａ）及びホイップアンテナ（Ｗｈｉｐ Ａｎｔｅｎｎａ）を備える。前記ホイップアンテナが端末機内部に収納されている場合は、前記ヘリカルアンテナが動作し、前記ホイップアンテナが端末機外部に伸長されている場合は、ホイップアンテナが動作する。
【０００３】
図１Ａ及び図１Ｂは、従来の移動通信端末機のアンテナ動作を示す。図１Ａに示すようにホイップアンテナ１００が端末機内部に収納されている場合、端末機１０４外部に突出形成されたキャップ（ｃａｐ）１０６の内部に形成されたヘリカルアンテナ１０２にＲＦ信号が送／受信され、図１Ｂに示すようにホイップアンテナ１００が端末機１０４外部に突出されている場合は、ホイップアンテナ１００を通してＲＦ信号が送／受信される。
【０００４】
図１Ａ及び図１Ｂに示すように、ヘリカルアンテナは、アンテナ上段部（Ｔｏｐ ｐａｒｔ： ＴＰ）と下段部（Ｂｏｔｔｏｍ ｐａｒｔ： ＢＰ）が同一の直径を有する巻線コイル、及び前記コイルを覆うキャップから構成される。しかしながら、既存のヘリカルアンテナは、円筒状の巻線コイルが前記キャップの外部面と近接しているので、携帯または通話時に、使用者の人体によって影響を大きく与えるという問題点がある。
【０００５】
前記ヘリカルアンテナが動作する時、高い電圧が前記巻線コイルの最上段部に誘起されるので、携帯または通話時、指などの使用者の人体が前記コイルの最上段部分のキャップに接触される場合、アンテナ特性が非常に影響を受けるようになるという問題点がある。
【０００６】
【発明が解決しようとする課題】
従って、本発明の目的は、移動通信端末機において、人体によるアンテナ特性への影響を防止するヘリカルアンテナ構造を提供することにある。
【０００７】
【課題を解決するための手段】
このような目的を達成するための本発明は、人体による影響を最小化する移動通信端末機におけるヘリカルアンテナ構造を提供する。前記ヘリカルアンテナ構造において、キャップは、前記端末機の上端に突出形成され、巻線コイルは、前記キャップ内に位置し、前記キャップ内の下段部から上段部まで前記キャップの外部面との離隔距離が実質的に同一になるように設計される。
【０００８】
【発明の実施の形態】
以下、本発明に従う好適な実施形態について添付図を参照しつつ詳細に説明する。下記の説明において、本発明の要旨のみを明確にする目的で、関連した公知機能または構成に関する具体的な説明は省略する。
【０００９】
図２は、本発明の実施形態による移動通信端末機の円錐状のヘリカルアンテナ構造を示す。図２を参照すると、本発明の実施形態によるヘリカルアンテナ２００の構造は、移動通信端末機１０４の上端に突出形成されたキャップ１０６、巻線コイルの直径が前記キャップ１０６内部の下段部（ＢＰ）から上段部（ＴＰ）に行くほど小さくなり、前記キャップ１０６の外部面と前記コイル２００との離隔距離が増加するように設計されるヘリカルアンテナ巻線コイル２００から構成される。従って、前記キャップ１０６の外部面と前記コイル２００との間の距離または空間は、前記コイル２００の長さに沿って実質的に同一である。本発明の実施形態によると、前記巻線コイル２００は、下段部（ＢＰ）から上段部（ＴＰ）に行くにつれて１巻き（ｔｕｒｎ）毎にコイルの直径が小さくなるように円錐状に構成されることによって、高い電圧が誘起されるコイルの最上段部と前記キャップ１０６の外部面との間の距離が最大になる。従って、使用者の指または人体が前記キャップ１０６の外部面、特に、キャップ１０６の上段部に接触する場合も、アンテナの特性変化を最小化することができる。
【００１０】
図３は、従来の円筒状の巻線コイルによって具現されたヘリカルアンテナの自由空間（Ｆｒｅｅ ｓｐａｃｅ）におけるインピダンス整合（Ｉｍｐｅｄａｎｃｅ Ｍａｔｃｈｉｎｇ）状態を示すグラフであり、図４は、本発明の実施形態によって円錐状の巻線コイルによって具現されたヘリカルアンテナの自由空間におけるインピダンス整合状態を示すグラフである。図３及び図４に示すように、従来の円筒状の巻線コイルのヘリカルアンテナ及び本発明の円錐状巻線コイルのヘリカルアンテナの両方ともＶＳＷＲ２以下の良好の結果を得ることが分かる。
【００１１】
図５は、従来の円筒状の巻線コイルによって具現されたヘリカルアンテナにおける無指向性（ｏｍｎｉ−ｄｉｒｅｃｔｉｏｎａｌ）放射特性を示すグラフであり、図６は、本発明の実施形態によって円錐状の巻線コイルによって具現されたヘリカルアンテナにおける無指向性放射特性を示すグラフである。図５及び図６に示すように、本発明の実施形態による円錐状巻線コイルのヘリカルアンテナは、自由空間におけるアンテナ放射特性の観点から、従来の円筒状の巻線コイルによって具現されたヘリカルアンテナとほぼ同一である。つまり、前記２つのアンテナ利得も別に差がない。
【００１２】
図７は、前記移動通信端末機の通話時に使用者が前記ヘリカルアンテナのキャップに指を接触させた状態で、従来の円筒状の巻線コイルによって具現されたヘリカルアンテナのインピダンス整合状態を示すグラフであり、図８は、前記移動通信端末機の通話時に使用者が前記ヘリカルアンテナキャップに指を接触させた状態で、本発明の実施形態による円錐状の巻線コイルによって具現されたヘリカルアンテナのインピダンス整合状態を示すグラフである。
【００１３】
図７を参照すると、従来の円筒状の巻線コイルによって具現されたヘリカルアンテナは、使用者の指がキャップに接触される場合、ＶＳＷＲが約６になる。これは、インピダンスがほとんど整合されていない状態で、アンテナ機能を遂行することができないほどアンテナ特性が低下することを意味する。しかしながら、本発明の実施形態による円錐状巻線コイルによって具現されたヘリカルアンテナは、図８に示すように、使用者の指がキャップに接触される場合も、ＶＳＷＲが３以下の良好な結果を得るので、人体の接触によるアンテナ特性の低下が防止されることが分かる。
【００１４】
前述の如く、本発明の詳細な説明では具体的な実施形態を参照して詳細に説明してきたが、本発明の範囲は前記実施形態によって限られるべきではなく、本発明の範囲内で様々な変形が可能であるということは、当該技術分野における通常の知識を持つ者には明らかである。
【００１５】
【発明の効果】
前述してきたように、本発明の実施形態によって、円錐状の巻線コイルによって具現されたヘリカルアンテナは、自由空間においてインピダンス整合状態やアンテナ放射特性の観点で、従来の円筒状の巻線コイルのヘリカルアンテナと類似した特性を有する。通話の時に、ヘリカルアンテナのキャップに人体が接触される場合も、本発明のヘリカルアンテナは、自由空間においてと同様なアンテナ特性を維持することができる。
【図面の簡単な説明】
【図１Ａ】従来の移動通信端末機のアンテナの動作を示す図。
【図１Ｂ】従来の移動通信端末機のアンテナの動作を示す図。
【図２】本発明の実施形態による移動通信端末機におけるヘリカルアンテナ構造を示す図。
【図３】従来の円筒状の巻線コイルによって具現されたヘリカルアンテナにおけるインピダンス整合状態を示すグラフ。
【図４】本発明の実施形態による円錐状の巻線コイルによって具現されたヘリカルアンテナにおけるインピダンス整合状態を示すグラフ。
【図５】従来の円筒状の巻線コイルによって具現されたヘリカルアンテナにおける無方向性放射特性を示すグラフ。
【図６】本発明の実施形態による円錐状の巻線コイルによって具現されたヘリカルアンテナにおける無方向性放射特性を示すグラフ。
【図７】従来の円筒状の巻線コイルによって具現されたヘリカルアンテナにおいて、人体接触時のインピダンス整合状態を示すグラフ。
【図８】本発明の実施形態による円錐状巻線コイルによって具現されたヘリカルアンテナにおいて、人体接触時のインピダンス整合状態を示すグラフ。
【符号の説明】
１０４　　移動通信端末機
１０６　　キャップ
２００　　コイル
【国際公開パンフレット】
2004512721.tif 000003
2004512721.tif 000004
2004512721.tif 000005
2004512721.tif 000006
2004512721.tif 000007
2004512721.tif 000008
2004512721.tif 000009
2004512721.tif 000010
2004512721.tif 000011
2004512721.tif 000012
2004512721.tif 000013
2004512721.tif 000014
2004512721.tif 000015
2004512721.tif 000016
2004512721.tif 000017
2004512721.tif 000018
【国際調査報告】
2004512721.tif 000019